(57)【要約】【課題】２Ｇ移動通信網で移動通信端末機を用いて電子決済を行う時、３Ｇモデムを用いなくとも電子決済が行えるようにする電子決済方法、およびそのための移動通信端末機を提供する。【解決手段】本発明に係る電子決済方法は、互いに異なる移動網への通信を支援する移動通信端末機で電子決済を行うにおいて、前記移動通信端末機の初期ブーティング時に、第１移動通信網への通信のための第１モデムと、第２移動通信網への通信のための第２モデムの電源がオンになることにより、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）からユーザの信用情報を持ってきてメモリに保存するステップと、前記第１移動通信網を介した電子決済時に、前記第１モデムが前記メモリに保存された前記ユーザの信用情報を読み出すステップと、前記ユーザの信用情報を無線データ通信方式で信用端末機へ伝送するステップとからなることを特徴とする。【選択図】図３
2006252531.tif 000002
【特許請求の範囲】
【請求項１】
互いに異なる移動網を介して電子決済を支援する移動通信端末機において、
前記移動通信端末機の初期ブーティング時にユーザの信用情報を保存するメモリと、
前記初期ブーティング時に前記ユーザの信用情報を前記メモリに提供する第１移動通信網への通信のための第１モデムと、
第２移動通信網を介して電子決済を行う時、前記メモリから前記ユーザの信用情報を読み出す前記第２移動通信網への通信のための第２モデムと、
前記第２モデムによって読み出された前記ユーザの信用情報を無線データフォーマットに送出する送信機とを含んで構成されることを特徴とする移動通信端末機。
【請求項２】
前記ユーザの信用情報をパッチするための汎用加入者識別モジュール（ＵＳＩＭ：Ｕｎｉｖｅｒｓａｌ  Ｓｕｂｓｃｒｉｂｅｒ  Ｉｄｅｎｔｉｔｙ  Ｍｏｄｕｌｅ）をさらに備えることを特徴とする請求項１に記載の移動通信端末機。
【請求項３】
前記第１モデムは、前記初期ブーティング時に前記ＵＳＩＭから前記ユーザの信用情報を持ってきて、前記メモリに提供することを特徴とする請求項２に記載の移動通信端末機。
【請求項４】
前記第１モデムは、前記初期ブーティング時に前記メモリへ前記ユーザの信用情報を提供した後、電源がオフになることを特徴とする請求項２に記載の移動通信端末機。
【請求項５】
前記メモリはフラッシュメモリであることを特徴とする請求項１に記載の移動通信端末機。
【請求項６】
前記電子決済のためにユーザが操作するキーを備え、前記キーを押すことによって前記第２モデムが前記メモリから前記ユーザの信用情報を読み出すように制御するユーザインタフェースチップをさらに備えることを特徴とする請求項１に記載の移動通信端末機。
【請求項７】
前記ユーザインターフェースチップは、前記初期ブーティング時に前記第１モデムを介して提供される前記ユーザの信用情報を前記メモリに保存させることを特徴とする請求項６に記載の移動通信端末機。
【請求項８】
前記ユーザインターフェースチップは、前記第１モデムと前記第２モデムのうち何れか一方と、前記電送機との間の連結をスイッチングすることを特徴とする請求項６に記載の移動通信端末機。
【請求項９】
前記無線データのフォーマットは赤外線データのフォーマットであることを特徴とする請求項１に記載の移動通信端末機。
【請求項１０】
前記電送機はＩｒＤＡ電送機であることを特徴とする請求項１に記載の移動通信端末機。
【請求項１１】
互いに異なる移動網への通信を支援する移動通信端末機で電子決済を行うのにおいて、
前記移動通信端末機の初期ブーティング時に、第１移動通信網への通信のための第１モデムと、第２移動通信網への通信のための第２モデムの電源がオンになることにより、ＵＳＩＭからユーザの信用情報を持ってきてメモリに保存するステップと、
前記第１移動通信網を介した電子決済時に、前記第１モデムが前記メモリに保存された前記ユーザの信用情報を読み出すステップと、
前記ユーザの信用情報を無線データ通信方式で信用端末機へ伝送するステップと、
からなることを特徴とする電子決済方法。
【請求項１２】
前記第２モデムが前記ＵＳＩＭから前記ユーザの信用情報を持ってきて、前記メモリに提供することを特徴とする請求項１１に記載の電子決済方法。
【請求項１３】
前記第２モデムは、前記メモリへ前記ユーザの信用情報を提供した後、電源がオフになることを特徴とする請求項１２に記載の電子決済方法。
【請求項１４】
前記無線データ通信方式はＩｒＤＡ方式であることを特徴とする請求項１１に記載の電子決済方法。
【請求項１５】
前記信用端末機が前記ユーザの信用情報を受信して、決済を行うステップをさらに含んでなることを特徴とする請求項１１に記載の電子決済方法。
【発明の詳細な説明】
【技術分野】
【０００１】
本発明は電子決済方法およびそのための移動通信端末機に関する。
【背景技術】
【０００２】
従来の無線網は現在、技術進化の過渡期にある。即ち、２世代（２Ｇ）移動通信網から３世代（３Ｇ）移動通信網に移る中間段階である。したがって、移動通信端末機は、２Ｇ通信のための２Ｇモデムと、３Ｇ通信のための３Ｇモデムとを共に備えている。
【０００３】
上記のように２つのモデムを備えた移動通信端末機を用いて電子決済を実施する例を説明する。
【０００４】
移動通信端末機が電子決済のための信用端末機を介して２Ｇ移動通信網への電子決済を試みる場合、汎用加入者識別モジュール（ＵＳＩＭ：Ｕｎｉｖｅｒｓａｌ  Ｓｕｂｓｃｒｉｂｅｒ  Ｉｄｅｎｔｉｔｙ  Ｍｏｄｕｌｅ）は移動通信端末機ユーザの信用情報をパッチする。特に、ＵＳＩＭは、ユーザの信用情報をパッチする時、前記ユーザ信用情報に該当する信用カード番号を３Ｇモデムを介して持ってくる。以後、その信用カード番号はＩｒＤＡ送信機を介して信用端末機へ伝達される。
【０００５】
このように２Ｇ移動通信網で電子決済を試みる場合には３Ｇモデムを用いなければならなかった。したがって、２Ｇモデムは勿論、３Ｇモデムの電源もオンにしなければならなかったので、電力消耗が激しく、かつ電子決済の時間も遅延されるという問題があった。
【０００６】
図１は従来の電子決済のための移動通信端末機の構成を示すダイアグラムである。
【０００７】
図１を参照すると、従来の移動通信端末機は、ユーザインタフェースチップ１と、モデム２と、３Ｇモデム３と、ＵＳＩＭ４と、そしてＩｒＤＡ送信機５とで構成されている。
【０００８】
２Ｇモデム２は、ユーザインタフェース（以下、ＵＩ）チップ１と通信し、２Ｇ移動通信網での電子決済のための通信を行う。
【０００９】
３Ｇモデム３は、ＵＩチップ１と通信し、ＵＳＩＭ４からユーザの信用情報を持ってくる。
【００１０】
ＵＳＩＭ４はユーザの信用情報を３Ｇモデム３を介してパッチする。
【００１１】
ＩｒＤＡ送信機５は、３Ｇモデム３から伝達されるユーザの信用情報を赤外線データフォーマット（Ｉｎｆｒａｒｅｄ  ｄａｔａ  ｆｏｒｍａｔ）で信用端末機６へ伝送する。
【００１２】
上記構成による従来の電子決済の過程を以下に説明する。
【００１３】
図２は、従来の技術によって移動通信端末機で電子決済を行う過程を示すフローチャートである。
【００１４】
図２を参照すると、ユーザが前記図１のように構成された移動通信端末機を用いて電子決済を要求すると、ＵＩチップ１が３Ｇモデム３の電源をオンにする。この際、２Ｇモデム２の電源はオン状態である。
【００１５】
次いで、３Ｇモデム３はＵＳＩＭ４からユーザの信用情報を読み出す（２Ｇ）。
【００１６】
一方、前記３Ｇモデム３からユーザの信用情報が伝達されたＩｒＤＡ送信機５は、ユーザの信用情報を赤外線データフォーマットで信用端末機６へ伝送する（Ｓ３）。
【００１７】
信用端末機６は、ＩｒＤＡ送信機５から受信したユーザの信用情報を用いて、該当電子決済を行う（Ｓ４）。
【発明の開示】
【発明が解決しようとする課題】
【００１８】
しかしながら、以上で説明したように従来技術においては、２Ｇ移動通信網で移動通信端末機を用いて電子決済を行う時、その移動通信端末機の２Ｇモデムは勿論、３Ｇモデムまでの電源をオンにしなければならないために、移動通信端末機の電力消耗が激しく、かつ電子決済が遅延されるという問題があった。
【００１９】
本発明は上記のような問題点に鑑みて案出したもので、その目的は、２Ｇ移動通信網で移動通信端末機を用いて電子決済を行う時、３Ｇモデムを用いなくとも電子決済が行えるようにする電子決済方法と、そのための移動通信端末機を提供することにある。
【課題を解決するための手段】
【００２０】
上記目的を達成するための本発明に係る電子決済方法は、互いに異なる移動網への通信を支援する移動通信端末機で電子決済を行うにおいて、前記移動通信端末機の初期ブーティング時に、第１移動通信網への通信のための第１モデムと、第２移動通信網への通信のための第２モデムの電源がオンになることにより、ＵＳＩＭからユーザの信用情報を持ってきてメモリに保存するステップと、前記第１移動通信網を介した電子決済時に、前記第１モデムが前記メモリに保存された前記ユーザの信用情報を読み出すステップと、前記ユーザの信用情報を無線データ通信方式で信用端末機へ伝送するステップとからなることを特徴とする。
【００２１】
より好ましくは、前記信用端末機が前記ユーザの信用情報を受信して、決済を行うステップをさらに含むことを特徴とする。
【００２２】
上記目的を達成するための本発明に係る電子決済のための移動通信端末機は、互いに異なる移動網を介して電子決済を支援する移動通信端末機において、前記移動通信端末機の初期ブーティング時にユーザの信用情報を保存するメモリと、前記初期ブーティング時に前記ユーザの信用情報を前記メモリに提供する第１移動通信網への通信のための第１モデムと、第２移動通信網を介して電子決済を行う時、前記メモリから前記ユーザの信用情報を読み出す前記第２移動通信網への通信のための第２モデムと、前記第２モデムによって読み出された前記ユーザの信用情報を無線データフォーマットに送出する送信機とを含んで構成されることを特徴とする。
【００２３】
より好ましくは、前記ユーザの信用情報をパッチするための汎用加入者識別モジュール（ＵＳＩＭ）をさらに備えることを特徴とする。
【００２４】
上記目的を達成するために、本発明は、例えば、以下の手段を提供する。
（項目１）
互いに異なる移動網を介して電子決済を支援する移動通信端末機において、
上記移動通信端末機の初期ブーティング時にユーザの信用情報を保存するメモリと、
上記初期ブーティング時に上記ユーザの信用情報を上記メモリに提供する第１移動通信網への通信のための第１モデムと、
第２移動通信網を介して電子決済を行う時、上記メモリから上記ユーザの信用情報を読み出す上記第２移動通信網への通信のための第２モデムと、
上記第２モデムによって読み出された上記ユーザの信用情報を無線データフォーマットに送出する送信機とを含んで構成されることを特徴とする移動通信端末機。
（項目２）
上記ユーザの信用情報をパッチするための汎用加入者識別モジュール（ＵＳＩＭ：Ｕｎｉｖｅｒｓａｌ  Ｓｕｂｓｃｒｉｂｅｒ  Ｉｄｅｎｔｉｔｙ  Ｍｏｄｕｌｅ）をさらに備えることを特徴とする項目１に記載の移動通信端末機。
（項目３）
上記第１モデムは、上記初期ブーティング時に上記ＵＳＩＭから上記ユーザの信用情報を持ってきて、上記メモリに提供することを特徴とする項目２に記載の移動通信端末機。
（項目４）
上記第１モデムは、上記初期ブーティング時に上記メモリへ上記ユーザの信用情報を提供した後、電源がオフになることを特徴とする項目２に記載の移動通信端末機。
（項目５）
上記メモリはフラッシュメモリであることを特徴とする項目１に記載の移動通信端末機。
（項目６）
上記電子決済のためにユーザが操作するキーを備え、上記キーを押すことによって上記第２モデムが上記メモリから上記ユーザの信用情報を読み出すように制御するユーザインタフェースチップをさらに備えることを特徴とする項目１に記載の移動通信端末機。
（項目７）
上記ユーザインターフェースチップは、上記初期ブーティング時に上記第１モデムを介して提供される上記ユーザの信用情報を上記メモリに保存させることを特徴とする項目６に記載の移動通信端末機。
（項目８）
上記ユーザインターフェースチップは、上記第１モデムと上記第２モデムのうち何れか一方と、上記電送機との間の連結をスイッチングすることを特徴とする項目６に記載の移動通信端末機。
（項目９）
上記無線データのフォーマットは赤外線データのフォーマットであることを特徴とする項目１に記載の移動通信端末機。
（項目１０）
上記電送機はＩｒＤＡ電送機であることを特徴とする項目１に記載の移動通信端末機。
（項目１１）
互いに異なる移動網への通信を支援する移動通信端末機で電子決済を行うのにおいて、
上記移動通信端末機の初期ブーティング時に、第１移動通信網への通信のための第１モデムと、第２移動通信網への通信のための第２モデムの電源がオンになることにより、ＵＳＩＭからユーザの信用情報を持ってきてメモリに保存するステップと、
上記第１移動通信網を介した電子決済時に、上記第１モデムが上記メモリに保存された上記ユーザの信用情報を読み出すステップと、
上記ユーザの信用情報を無線データ通信方式で信用端末機へ伝送するステップと、
からなることを特徴とする電子決済方法。
（項目１２）
上記第２モデムが上記ＵＳＩＭから上記ユーザの信用情報を持ってきて、上記メモリに提供することを特徴とする項目１１に記載の電子決済方法。
（項目１３）
上記第２モデムは、上記メモリへ上記ユーザの信用情報を提供した後、電源がオフになることを特徴とする項目１２に記載の電子決済方法。
（項目１４）
上記無線データ通信方式はＩｒＤＡ方式であることを特徴とする項目１１に記載の電子決済方法。
（項目１５）
上記信用端末機が上記ユーザの信用情報を受信して、決済を行うステップをさらに含んでなることを特徴とする項目１１に記載の電子決済方法。
【発明の効果】
【００２５】
本発明によれば、２Ｇ移動通信網で移動通信端末機を用いて電子決済を行う時、その移動通信端末機の２Ｇモデムの電源のみがオンになり、３Ｇモデムの電源はオフになるので、移動通信端末機の電力消耗を減らすことができる。また、電子決済を行うのに必要な全体の時間を短縮させることができる。
【発明を実施するための最良の形態】
【００２６】
以下、本発明に係る電子決済方法、およびそのための移動通信端末機に関する好適な実施の形態を添付の図面に基づいて詳細に説明する。
【００２７】
本発明に係る移動通信端末機は、互いに異なる移動網を介して電子決済を支援する移動通信端末機として、以下では２Ｇ移動通信網への通信と、３Ｇ移動通信網への通信を通じて電子決済を支援する例を中心に説明する。
【００２８】
図３は本発明による電子決済のための移動通信端末機の構成を示すダイアグラムである。
【００２９】
図３を参照すると、本発明の移動通信端末機は、ＵＩチップ１０と、そのメモリ７０と、２Ｇモデム２０と、３Ｇモデム３０と、ＵＳＩＭ４０と、そしてＩｒＤＡ送信機５０とで構成されている。
【００３０】
前記メモリ７０はユーザの信用情報を保存する。ここで、メモリ７０はフラッシュメモリであり、前記ユーザの信用情報は信用カードの番号を含む。
【００３１】
ＵＩチップ１０は、移動通信端末機が初期ブーティングされる時、３Ｇモデム３０を介してＵＳＩＭ４０に保存されたユーザの信用情報を持ってくる。そして、そのユーザの信用情報をメモリ７０に保存させる。
【００３２】
ＵＩチップ１０は、電子決済のためにユーザが操作するキーを備えており、ユーザがそのキーを押すと、２Ｇモデム２０がメモリ７０に保存されたユーザの信用情報を読み出すように制御する。
【００３３】
一方、移動通信端末機が初期ブーティングされる時、２Ｇモデム２０と３Ｇモデム３０は一時的に電源がオンになる。移動通信端末機は初期ブーティングによって初期化され、その初期化時には２Ｇモデム２０と３Ｇモデム３０の電源が共にオン状態であるために、その初期化時に該当モデム（より正確には３Ｇモデム）を介してＵＳＩＭ４０からユーザの信用情報を持ってくる。このようにして、ＵＩチップ１０は、前記移動通信端末機が初期ブーティングされる時に３Ｇモデム３０を介してＵＳＩＭ４０から持ってきたユーザの信用情報を自分のメモリ７０に予め保存する。
【００３４】
２Ｇモデム２０はＵＩチップ１０と通信し、２Ｇ移動通信網での電子決済のための通信を行う。特に、２Ｇモデム２０は、２Ｇ移動通信網での電子決済時にＵＩチップ１０のメモリ７０からユーザの信用情報を読み出す。そして、２Ｇモデム２０は、読み出したユーザの信用情報をＩｒＤＡ送信機５０へ伝送する。
【００３５】
３Ｇモデム３０はＵＩチップ１０と通信し、移動通信端末機が初期ブーティングされる時にＵＳＩＭ４０からユーザの信用情報を持ってきて、ＵＩチップ１０のメモリ７０に提供する。
【００３６】
そして、３Ｇモデム３０は、ＵＩチップ１０との通信およびＵＳＩＭ４０との通信を通じて初期ブーティング時にユーザの信用情報をメモリ７０に提供した後には、電源がオフになる。即ち、２Ｇモデム２０を介した２Ｇ移動通信網での電子決済時に３Ｇモデム３０の電源はオフになる。
【００３７】
ＵＳＩＭ４０は移動通信端末機ユーザの信用情報をパッチする。
【００３８】
ＩｒＤＡ送信機５０は２Ｇモデム２０および３Ｇモデム３０に連結される。特に、２Ｇモデム２０と３Ｇモデム３０は、ＩｒＤＡ送信機５０に対してスイッチング方式で連結される。また、ＩｒＤＡ送信機５０は、２Ｇモデム２０がメモリ７０から読み出したユーザの信用情報を赤外線データフォーマットで信用端末機６０へ伝送する。
【００３９】
前記ＩｒＤＡ送信機５０のスイッチング方式の連結についてより詳細に説明すると、ＩｒＤＡ送信機５０は、２Ｇモデム２０と３Ｇモデム３０とに同時に連結される。そして、ＵＩチップ１０によってモデム２０、３０との連結がスイッチングされる。即ち、ＵＩチップ１０は、前記２Ｇモデム２０と前記３Ｇモデム３０のうち何れか一方と、ＩｒＤＡ送信機５０との間の連結をスイッチングする。結局、ＵＩチップ１０は、モデム２０、３０のうち何れか一方を介して入力されたデータが他方を介して赤外線データフォーマットへ伝送されるようにスイッチング制御を行う。
【００４０】
信用端末機６０はＩｒＤＡ送信機５０から受信した信用情報を用いて電子決済を行う。
【００４１】
以下、上記の構成による本発明の電子決済の過程を説明する。
【００４２】
図４は本発明によって移動通信端末機で電子決済を行う過程を示すフローチャートである。図４を参照すると、移動通信端末機が初期ブーティングされることにより、ＵＩチップのメモリにロックをかけてユーザの信用情報をそのメモリに予め保存する（Ｓ１０〜１１）。この際、メモリに既存の信用情報が保存されている場合には、現在持ってきた最新の信用情報にアップデートする。より詳細に説明すると、移動通信端末機が初期ブーティングされる時、一時的に電源がオンになる３Ｇモデムを介してＵＩチップとＵＳＩＭとが連結される。その連結として、ＵＩチップはＵＳＩＭからユーザの信用情報を持ってきてメモリに保存させる。
【００４３】
その後、ユーザが電子決済キーを押すことにより、ＵＩチップは前記メモリに保存された最新のユーザ信用情報を読み出す（Ｓ１２〜１３）。そして、２Ｇモデムは、読み出された信用情報をＩｒＤＡ送信機へ伝達する（Ｓ１４）。
【００４４】
ＩｒＤＡ送信機は、信用情報を赤外線データフォーマットで信用端末機へ伝送する（Ｓ１５）。これにより、信用端末機はＩｒＤＡ送信機から受信した信用情報を用いて電子決済を行う（Ｓ１６）。
【００４５】
一方、上述した本発明では信用情報を赤外線データフォーマットで伝送するＩｒＤＡ送信機を用いる例を説明した。しかし、本発明は、移動通信端末機と外部の承認機器（信用端末機）の間にＩｒＤＡは勿論、ブルートゥースのような他の近距離無線データ通信方式を用いる電子決済にも適用される。
【００４６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４７】
２Ｇ移動通信網で移動通信端末機を用いて電子決済を行う時、３Ｇモデムを用いなくとも電子決済が行えるようにする電子決済方法、およびそのための移動通信端末機を提供する。
【００４８】
本発明に係る電子決済方法は、互いに異なる移動網への通信を支援する移動通信端末機で電子決済を行うにおいて、前記移動通信端末機の初期ブーティング時に、第１移動通信網への通信のための第１モデムと、第２移動通信網への通信のための第２モデムの電源がオンになることにより、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）からユーザの信用情報を持ってきてメモリに保存するステップと、前記第１移動通信網を介した電子決済時に、前記第１モデムが前記メモリに保存された前記ユーザの信用情報を読み出すステップと、前記ユーザの信用情報を無線データ通信方式で信用端末機へ伝送するステップとからなることを特徴とする。
【図面の簡単な説明】
【００４９】
【図１】従来の電子決済のための移動通信端末機の構成を示すダイアグラムである。
【図２】従来の技術によって移動通信端末機で電子決済を行う過程を示すフローチャートである。
【図３】本発明による電子決済のための移動通信端末機の構成を示すダイアグラムである。
【図４】本発明によって移動通信端末機で電子決済を行う過程を示すフローチャートである。
【図１】
2006252531.tif 000003
【図２】
2006252531.tif 000004
【図３】
2006252531.tif 000005
【図４】
2006252531.tif 000006